(57)【要約】【課題】ズーム領域を維持したまま、カメラマン個人個人が自由に自分の好みに合わせてズームストロークを変更し、最も適した操作性が得られるズームレンズを提供する。【解決手段】一軸ニ操作方式のサーボズームレンズにおいて、ネジ送りなどによって、ズームストロークを変更し、ロックバンドで送りねじを固定する。変更したストロークデータは、ポテンショメータで検知され、ＣＰＵに送られる。そして、ズーミング操作によるリニアポットからの出力信号と比較演算処理を行い、改めてズーム全域を規格化して、駆動モーターへ送出する。【選択図】　　　　図１
2004012558.tif 000002
【特許請求の範囲】
【請求項１】
ズームレンズのズーミングおよびフォーカシングをコントローラーからの指令信号によってサーボ制御して駆動させ、少なくとも一つの操作方式が一軸ニ操作方式で、その操作棒はカメラ本体にある一軸ニ操作操作棒の挿入用貫通穴を通る位置に配置されたズームレンズにおいて、一軸ニ操作方式の操作棒によるズームストロークを可変する可変手段を有することを特徴とするズームレンズ。
【請求項２】
前記可変手段の操作部材は、レンズ本体外部から操作可能な位置に具備されていることを特徴とする請求項１記載のズームレンズ。
【請求項３】
前記可変手段の操作部材を操作した後、該操作部材を固定する固定手段を有することを特徴とする請求項１記載のズームレンズ。
【請求項４】
前記可変手段の操作によって指令信号の出力範囲の変化量を検知する手段を有し、該検知手段によって検知された出力範囲に対しズーム全域を新たに割り当て規格化する演算処理手段を有することを特徴とする請求項１記載のズームレンズ。
【発明の詳細な説明】
【０００１】
【発明の属する技術分野】
本発明は、テレビカメラにおけるズームレンズのズーミングおよびフォーカシングをサーボ駆動制御し、少なくとも一つの操作方式が一軸ニ操作方式であるズームレンズに関するものである。
【０００２】
【従来の技術】
テレビカメラにおけるズームレンズの操作方式には、さまざまな方式が混在している。最近では、従来手動方式であった一軸ニ操作方式によって電気的な指令信号を送ってサーボ駆動する方式が提案されている。図４にその操作形態を示す。操作棒３０はテレビカメラ本体３１の後面よりカメラ本体内部の貫通穴３１ａを通してズームレンズ３２の一軸ニ操作ユニット３２ａに接続されている。カメラマン３３は、操作棒３０を前後へ押し引き操作することによってズーミングの指令信号を変化させてズーミングを行い、回転によってフォーカスの指令信号を変化させてフォーカシングを行う。この方式のズームレンズにおいて、特開２０００−２２７５３９号に記載されているように、操作棒の押し込み位置を規制するストッパの位置を送りネジによって前後方向に調整できるようにし、操作範囲を可変できる機構が提案されている。
【０００３】
【発明が解決しようとする課題】
しかしながら、上記のような構造では、調整するツマミがレンズ本体内部に具備されており、ユーザーであるカメラマン個人が自分の好みに合わせて適宜変更することができないため、操作性がカメラマン一人の好みにしか合わせられず、操作性および運用面で課題の残る構造である。また、ストッパーを可変しているにもかかわらず、調整後保持するロック手段を設けていないため、ストッパーに操作棒が当たる衝撃によってネジが破損したり、ストッパー端の映像がネジガタによってぶれたりするので、操作性および品質上の問題がある。
【０００４】
さらに、操作棒の稼動範囲が変わることによって、指令信号の出力範囲も変化するため、光学的なズーミング範囲をそのままに、操作性のみ自分の好みに変更することができなくなり、結果的に操作性が悪くなってしまう課題がある。
【０００５】
本発明は、上述したような課題を解決するために、カメラマン個人個人が自由に自分の好みに合わせてストロークを変更し、かつ、変更位置に確実に固定することを可能とし、変更した指令信号出力範囲に対して、ズーム全域を新たに割り当て規格化する制御を行うことにより、操作性の良好なテレビレンズを提供することにある。
【０００６】
【課題を解決するための手段】
前述の課題を解決するため、本願の請求項１に記載したズームレンズは、一軸ニ操作方式の操作棒によるズームストロークを可変する可変手段を有することを特徴とする。
【０００７】
本願の請求項２に記載したズームレンズは、前記可変手段の操作部材が、レンズ本体外部から操作可能な位置に具備されていることを特徴とする。
【０００８】
本願の請求項３に記載したズームレンズは、前記操作部材を固定する固定手段を有することを特徴とする。
【０００９】
本願の請求項４に記載したズームレンズは、前記可変手段の操作によって指令信号の出力範囲の変化量を検知する手段を有し、該検知手段によって検知された出力範囲に対しズーム全域を新たに割り当て規格化する演算処理手段をすることを特徴とする。
【００１０】
これらの手段によって、カメラマン個人個人が自由に自分の好みに合わせてストロークを変更し、かつ、変更位置に確実に固定することを可能とし、変更した指令信号によってズーム範囲が変化しないような制御を行うことにより、良好な操作性を得ることができる。
【００１１】
【発明の実施の形態】
図１は本発明の特徴を最もよく表す図面であり、一軸ニ操作ユニットの詳細図である。
【００１２】
図２はロック機構の断面図で、図３はストロークを変更した場合の指令信号の処理方法の流れ図である。図１から図３が、本発明の実施例を表している。
【００１３】
図１、図２において、１はレンズ本体、２はレンズカバー、３はレンズマウント、４および５は一軸ニ操作ユニットの基台（前）（後）で、ボルト６によって取付板７に固定されてユニット化され、レンズ本体１にボルト６で固定されている。８はテレ側のストッパーで、基台（前）４に接着されている。９はストローク可変側（ワイド側）のストッパーである。１０はズーミング、フォーカシングを行う操作棒で、操作棒１０に直結したスライダー１１を前後させると、ストッパーの範囲内で摺動管１２に沿って、ズーミングが行える。
【００１４】
１３はズーム用リニアポット１４のセンサーブラシで、スライダー１１に固定されている。１５はストロークを可変する送りねじ（メス）で、１６は送りねじ（オス）である。１７はストロークの可変操作を行う操作ツマミで、送りねじ（オス）１６に固定されている。１８は送りねじ（メス）１５とワイド側ストッパー９を連結する連結棒である。１９はギアで、送りねじ（オス）に固定されている。２０はギア１９とかみ合っているギアで、ポテンショメータ２１に固定されている。２２はポテンショメーター２１を固定している支持板で、レンズ本体１にボルト６で固定されている。２３は送りねじ（メス）１５をロックするロックバンドで、２４はロックバンド２３を締めこむためのロックねじである。
【００１５】
上記の構成において、カメラマンが自分に適したストロークに変えようとした場合、レンズカバー２などを外さずに直接操作ツマミ１７を回してワイド側ストッパー９を移動させる。好みの位置に合わせたら、ロックツマミ２４を回して、送りねじ（メス）１５をロックし、ワイド側ストッパー９をロックする。これにより、カメラマンは、カバーを外すなどレンズ本体内部を空けることなく、自分の好みのストロークに変更することができ、かつ確実にストッパーを固定できるので、より良好な操作性を簡単に得ることができる。
【００１６】
図３において、２５はズームのリニアポット１４からの指令信号で、２６はワイド側ストッパー９と連動して動くポテンショメーター２１からの指令信号で、２７は指令信号２５と指令信号２６を取り込んで演算処理するＣＰＵである。２８はＣＰＵ２７が演算処理した情報を受け取って操作するズームコントロール部材で、モーター２９へ出力され、ズームする。
【００１７】
上記の構成において、ズームストロークを変更すると、リニアポットから送られた指令信号２５に対するストローク設定部材からの指令信号であるポテンショメータ２１からの指令信号２６が、はじめに規格化されていた値に対して変化するので、ＣＰＵ２７は、取り込まれた２つの指令信号によって、改めて規格化する。規格化されたデータはズームコントロール部材２８を通してモーター２９へ出力され、ズーミングが行われるので、ズーム領域を以前と同じ範囲に維持することができる。これにより、ズーミング範囲を変化させることなく、自分に適したストロークでズーミングすることができるので、操作性が向上する。
【００１８】
【発明の効果】
以上説明したように、本願の請求項２に記載した発明によれば、ズームストローク範囲を規制する少なくとも片方のストッパーをネジ送りなどによって移動させる操作部材をレンズ本体外部から操作可能な位置に配置するることによって、カメラマン個人個人が自由に自分の好みに合わせてストロークを変更できるので、操作性が向上する。
【００１９】
また、本願の請求項３に記載した発明によれば、ストローク可変ツマミによってストッパーを移動させた後、送りねじを保持するように取り付けられたロックバンドにねじ込まれたロックつまみをまわしてバンドを締め付け、送りねじを強固に固定することにより、
操作棒をストッパーに当てた時にネジガタなどで映像がぶれたりすることがなく、良好な操作性が得られる。
【００２０】
また、本願の請求項４に記載した発明によれば、ズーミングのストロークが変更されても、新たなストロークの設定部材からの信号を取り込んで、ズーム範囲を維持できるように規格化することによって、自分に適した操作ストロークのみを変更することができ、操作性が向上する。
【図面の簡単な説明】
【図１】本発明の第１の実施の形態に係る一軸ニ操作ユニットを説明する図である。
【図２】図１のＡ−Ａ断面図を説明する図である。
【図３】出力された指令信号の制御回路図である。
【図４】一軸ニ操作方式の操作形態を説明する図である。
【符号の説明】
１・・・レンズ本体
２・・・レンズカバー
３・・・レンズマウント
４・・・基台（前）
５・・・基台（後）
６・・・ボルト
７・・・取付板
８・・・テレ側ストッパー
９・・・ワイド側ストッパー
１０・・・操作棒
１１・・・スライダー
１２・・・摺動管
１３・・・センサーブラシ
１４・・・リニアポット
１５・・・送りねじ（メス）
１６・・・送りねじ（オス）
１７・・・操作ツマミ
１８・・・連結棒
１９・・・ギア
２０・・・ギア
２１・・・ポテンショメーター
２２・・・支持板
２３・・・ロックバンド
２４・・・ロックネジ
２５・・・指令信号
２６・・・指令信号
２７・・・ＣＰＵ
２８・・・ズームコントロール部材
２９・・・モーター
３０・・・操作棒
３１・・・テレビカメラ本体
３１ａ・・・貫通穴
３２・・・ズームレンズ
３２ａ・・・一軸ニ操作ユニット
３３・・・カメラマン
【図１】
2004012558.tif 000003
【図２】
2004012558.tif 000004
【図３】
2004012558.tif 000005
【図４】
2004012558.tif 000006